【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
撮像装置の振動を検出する第１の手振れ検出センサの出力に基づいて、該撮像装置の振動を補正する第１の手振れ補正機構を駆動する第１の防振手段と、
上記撮像装置の振動を検出する第２の手振れ検出センサの出力に基づいて、上記撮像装置の振動を補正する第２の手振れ補正機構を駆動する第２の防振手段と、
上記第１の手振れ補正機構の位置を検出する位置検出センサと、
上記第１の防振手段と上記第２の防振手段のいずれか一方を選択的に動作させる制御手段と、
を具備しており、
上記制御手段は、上記第１の防振手段を動作させているときに上記位置検出センサの出力に基づく第１の手振れ補正機構が特定の位置に達した場合には、上記第１の防振手段を停止させて上記第２の防振手段を動作させることを特徴とする撮像装置。
【請求項２】
上記撮像装置は、撮影レンズとカメラ本体とを有し、
上記第１の防振手段は上記撮影レンズに配置され、上記第２の防振手段は上記カメラ本体内に配置されていることを特徴とする請求項１に記載の撮像装置。
【請求項３】
上記撮像装置は、撮影レンズとカメラ本体とを有し、
上記第１の防振手段は上記カメラ本体内に配置され、上記第２の防振手段は上記撮影レンズに配置されていることを特徴とする請求項１に記載の撮像装置。
【請求項４】
上記特定の位置は、上記第１の手振れ補正機構の可動終端、又は該可動終端より手前の位置であることを特徴とする請求項１乃至３に記載の撮像装置。
【請求項５】
レンズ鏡枠内に設けられた第１の手振れ補正機構に対して第１の防振動作の開始を指示すると共に、上記第１の手振れ補正機構が特定の位置に達したことを受信するための通信端子と、
カメラ本体内に設けられた第２の手振れ補正機構と、
上記第１の手振れ補正機構を動作させているときに上記第１の手振れ補正機構が上記特定の位置に達したことを上記通信端子を介して受信した場合には、上記第１の手振れ補正機構に代えて上記第２の手振れ補正機構を動作させる制御手段と、
を具備することを特徴とするカメラ。
【請求項６】
上記特定の位置は、上記第１の手振れ補正機構の可動終端、又は該可動終端より手前の位置であることを特徴とする請求項５に記載のカメラ。
【請求項７】
レンズ鏡枠内に設けられた第１の手振れ補正機構に対して第１の防振動作の開始を指示するための通信端子と、
カメラ本体内に設けられ、第２の手振れ補正機構が特定の位置に達したことを検出可能な第２の防振機構と、
上記第２の手振れ補正機構を動作させているときに上記第２の手振れ補正機構が特定の位置に達した場合には、上記第２の手振れ補正機構を停止させて上記第１の手振れ補正機構に上記通信端子を介して上記第１の防振動作を指示する制御手段と、
を具備することを特徴とする撮像装置。
【請求項８】
上記特定の位置は、上記第２の手振れ補正機構の可動終端、又は該可動終端より手前の位置であることを特徴とする請求項７に記載の撮像装置。
【請求項９】
第１の手振れ検出センサの出力に基づいて、第１の手振れ補正機構を駆動する第１の防振手段と、
上記第１の手振れ補正機構位置を検出する位置検出センサと、
を具備するレンズを接続可能であり、
第２の手振れ検出センサの出力に基づいて、第２の手振れ補正機構を駆動する第２の防振手段と、
上記第１の防振手段と上記第２の防振手段のいずれか一方を選択的に動作させる制御手段と、
を具備し、
上記制御手段は、上記第１の防振手段を動作させているときに、上記位置検出センサの出力に基づく第１の手振れ補正機構が特定の位置に達した場合には、上記第１の防振手段を停止させて上記第２の防振手段を動作させることを特徴とするカメラ。
【請求項１０】
上記特定の位置は、上記第１の手振れ補正機構の可動終端、又は該可動終端より手前の位置であることを特徴とする請求項９に記載のカメラ。
【請求項１１】
第１の手振れ検出センサの出力に基づいて、第１の手振れ補正機構を駆動する第１の防振手段、
を具備するレンズを接続可能であり、
第２の手振れ検出センサの出力に基づいて、第２の手振れ補正機構を駆動する第２の防振手段と、
上記第２の手振れ補正機構の位置を検出する位置検出センサと、
上記第１の防振手段と上記第２の防振手段のいずれか一方を選択的に動作させる制御手段と、
を具備し、
上記制御手段は、上記第２の防振手段を動作させているときに、上記位置検出センサの出力に基づく上記第２の手振れ補正機構が特定の位置に達した場合には、上記第２の防振手段を停止させて上記第１の防振手段を動作させることを特徴とするカメラ。
【請求項１２】
上記特定の位置は、上記第２の手振れ補正機構の可動終端、又は該可動終端より手前の位置であることを特徴とする請求項１１に記載のカメラ。
【手続補正２】
【補正対象書類名】明細書
【補正対象項目名】発明の名称
【補正方法】変更
【補正の内容】
【発明の名称】撮像装置およびカメラ
【手続補正３】
【補正対象書類名】明細書
【補正対象項目名】０００１
【補正方法】変更
【補正の内容】
【０００１】
本発明は、撮像装置およびカメラに関し、詳しくは、手振れ補正機構（防振機構）を有する撮像装置およびカメラに関する。
【手続補正４】
【補正対象書類名】明細書
【補正対象項目名】０００７
【補正方法】変更
【補正の内容】
【０００７】
本発明は、このような事情を鑑みてなされたものであり、ファインダ観察時のセンタリング動作を低減しつつ、充分な手振れ補正を行うことのできる撮像装置およびカメラを提供することを目的とする。
【手続補正５】
【補正対象書類名】明細書
【補正対象項目名】０００８
【補正方法】変更
【補正の内容】
【０００８】
上記目的を達成するため第１の発明に係わる撮像装置は、撮像装置の振動を検出する第１の手振れ検出センサの出力に基づいて、該撮像装置の振動を補正する第１の手振れ補正機構を駆動する第１の防振手段と、上記撮像装置の振動を検出する第２の手振れ検出センサの出力に基づいて、上記撮像装置の振動を補正する第２の手振れ補正機構を駆動する第２の防振手段と、上記第１の手振れ補正機構の位置を検出する位置検出センサと、上記第１の防振手段と上記第２の防振手段のいずれか一方を選択的に動作させる制御手段と、を具備しており、上記制御手段は、上記第１の防振手段を動作させているときに上記位置検出センサの出力に基づく第１の手振れ補正機構が特定の位置に達した場合には、上記第１の防振手段を停止させて上記第２の防振手段を動作させる。
【手続補正６】
【補正対象書類名】明細書
【補正対象項目名】０００９
【補正方法】変更
【補正の内容】
【０００９】
第２の発明に係わる撮像装置は、上記第１の発明において、上記撮像装置は、撮影レンズとカメラ本体とを有し、上記第１の防振手段は上記撮影レンズに配置され、上記第２の防振手段は上記カメラ本体内に配置されている。
また、第３の発明に係わる撮像装置は、上記第１の発明において、上記撮像装置は、撮影レンズとカメラ本体とを有し、上記第１の防振手段は上記カメラ本体内に配置され、上記第２の防振手段は上記撮影レンズに配置されている。
さらに、第４の発明に係わる撮像装置は、上記第１ないし第３の発明において、上記特定の位置は、上記第１の手振れ補正機構の可動終端、又は該可動終端より手前の位置である。
【手続補正７】
【補正対象書類名】明細書
【補正対象項目名】００１０
【補正方法】変更
【補正の内容】
【００１０】
第５の発明に係わるカメラは、レンズ鏡枠内に設けられた第１の手振れ補正機構に対して第１の防振動作の開始を指示すると共に、上記第１の手振れ補正機構が特定の位置に達したことを受信するための通信端子と、カメラ本体内に設けられた第２の手振れ補正機構と、上記第１の手振れ補正機構を動作させているときに上記第１の手振れ補正機構が上記特定の位置に達したことを上記通信端子を介して受信した場合には、上記第１の手振れ補正機構に代えて上記第２の手振れ補正機構を動作させる制御手段と、を具備する。
第６の発明に係わるカメラは、上記第５の発明において、上記特定の位置は、上記第１の手振れ補正機構の可動終端、又は該可動終端より手前の位置である。
【手続補正８】
【補正対象書類名】明細書
【補正対象項目名】００１１
【補正方法】変更
【補正の内容】
【００１１】
第７の発明に係わるカメラは、レンズ鏡枠内に設けられた第１の手振れ補正機構に対して第１の防振動作の開始を指示するための通信端子と、カメラ本体内に設けられ、第２の手振れ補正機構が特定の位置に達したことを検出可能な第２の防振機構と、上記第２の手振れ補正機構を動作させているときに上記第２の手振れ補正機構が特定の位置に達した場合には、上記第２の手振れ補正機構を停止させて上記第１の手振れ補正機構に上記通信端子を介して上記第１の防振動作を指示する制御手段と、を具備する。
また、第８の発明に係わるカメラは、上記第７の発明において、上記特定の位置は、上記第２の手振れ補正機構の可動終端、又は該可動終端より手前の位置である。
【手続補正９】
【補正対象書類名】明細書
【補正対象項目名】００１２
【補正方法】変更
【補正の内容】
【００１２】
第９の発明に係わるカメラは、第１の手振れ検出センサの出力に基づいて、第１の手振れ補正機構を駆動する第１の防振手段と、上記第１の手振れ補正機構位置を検出する位置検出センサと、を具備するレンズを接続可能であり、第２の手振れ検出センサの出力に基づいて、第２の手振れ補正機構を駆動する第２の防振手段と、上記第１の防振手段と上記第２の防振手段のいずれか一方を選択的に動作させる制御手段と、を具備し、上記制御手段は、上記第１の防振手段を動作させているときに、上記位置検出センサの出力に基づく第１の手振れ補正機構が特定の位置に達した場合には、上記第１の防振手段を停止させて上記第２の防振手段を動作させる。
また、第１０の発明に係わるカメラは、上記第９の発明において、上記特定の位置は、上記第１の手振れ補正機構の可動終端、又は該可動終端より手前の位置である。
【手続補正１０】
【補正対象書類名】明細書
【補正対象項目名】００１３
【補正方法】変更
【補正の内容】
【００１３】
第１１の発明に係わるカメラは、第１の手振れ検出センサの出力に基づいて、第１の手振れ補正機構を駆動する第１の防振手段、を具備するレンズを接続可能であり、第２の手振れ検出センサの出力に基づいて、第２の手振れ補正機構を駆動する第２の防振手段と、上記第２の手振れ補正機構の位置を検出する位置検出センサと、上記第１の防振手段と上記第２の防振手段のいずれか一方を選択的に動作させる制御手段と、を具備し、上記制御手段は、上記第２の防振手段を動作させているときに、上記位置検出センサの出力に基づく上記第２の手振れ補正機構が特定の位置に達した場合には、上記第２の防振手段を停止させて上記第１の防振手段を動作させる。
また、第１２の発明に係わるカメラは、上記第１１の発明において、上記特定の位置は、上記第２の手振れ補正機構の可動終端、又は該可動終端より手前の位置である。
【手続補正１１】
【補正対象書類名】明細書
【補正対象項目名】００１４
【補正方法】変更
【補正の内容】
【００１４】
本発明によれば、ファインダ観察時のセンタリング動作を低減しつつ、充分な手振れ補正を行うことのできる撮像装置およびカメラを提供することができる。
【手続補正１２】
【補正対象書類名】明細書
【補正対象項目名】００６７
【補正方法】変更
【補正の内容】
【００６７】
このように、ステップ＃８１において、レリーズ釦２５から手が離れたことを検出すると、交換レンズ１００とカメラ本体２００にそれぞれ設けられている防振機構の動作を停止するとともに、初期化（センタリング）動作を行っている。これによって、無駄な電源消耗を防止すると共に、次回、レリーズ釦２５を半押しされ、撮影準備状態となった際に、可動範囲の中心位置から防振動作を開始することができる。